(57)【要約】【課題】  センサーユニットとステージガラス間の焦点距離を正確に合せることができるスキャニング装置及びこれを備えた画像形成装置を提供する。【解決手段】  本発明によるスキャニング装置は，上面に文書を載置するステージガラスと；上記ステージガラスの板面に向かって加圧支持され，上記ステージガラスに向かって所定の角度に傾斜して形成されたスライドウェイを含むセンサーユニットと；上記センサーユニットのスライドウェイ上に支持され，上端が上記ステージガラスと接触するスライド部材と；上記スライド部材を上記スライドウェイ上に固定する固定手段と；を備える。【選択図】    図４
2006259740.tif 000002
【特許請求の範囲】
【請求項１】
上面に文書を載置するステージガラスと；
前記ステージガラスに向かって所定の角度に傾斜して形成されたスライドウェイを含み，前記ステージガラスの板面に向かって加圧支持されたセンサーユニットと；
前記センサーユニットのスライドウェイ上に支持され，上端が前記ステージガラスと接触するスライド部材と；
前記スライド部材を前記スライドウェイ上に固定する固定手段と；
を備えるスキャニング装置。
【請求項２】
前記スライド部材は，前記スライドウェイと平行に形成されたガイド溝をさらに含み，
前記センサーユニットは，前記ガイド溝に挿入されるように突出形成されたガイド棒をさらに含むことを特徴とする，請求項１に記載のスキャニング装置。
【請求項３】
前記固定手段は，前記スライド部材と前記ガイド棒間の溶接結合を含むことを特徴とする，請求項１または２に記載のスキャニング装置。
【請求項４】
前記スライド部材の上端には，前記ステージガラスと接触する突起が形成されたことを特徴とする，請求項１〜３のいずれかに記載のスキャニング装置。
【請求項５】
スキャニング装置を備えた画像形成装置において：
前記スキャニング装置は，
上面に文書を載置するステージガラスと；
前記ステージガラスに向かって所定の角度に傾斜して形成されたスライドウェイを含み，前記ステージガラスの板面に向かって加圧支持されたセンサーユニットと；
前記センサーユニットのスライドウェイ上に支持され，上端が前記ステージガラスと接触するスライド部材と；
前記スライド部材を前記スライドウェイ上に固定する固定手段と；
を備える画像形成装置。
【発明の詳細な説明】
【技術分野】
【０００１】
本発明は，スキャニング装置及びこれを備えた画像形成装置（Ｓｃａｎｎｉｎｇ  ａｐｐａｒａｔｕｓ  ａｎｄ  ｉｍａｇｅ  ｆｏｒｍｉｎｇ  ａｐｐａｒａｔｕｓ  ｃｏｍｐｒｉｓｉｎｇ  ｔｈｅ  ｓａｍｅ）に関し，より詳しくは，センサーユニットとステージガラス間の間隔を調節することができるスキャニング装置及びこれを備えた画像形成装置に関する。
【背景技術】
【０００２】
スキャニング装置は文書からイメージを読み取ってコンピュータが認識できるデータに転換する装置である。このような，スキャニング装置はそれ自体だけでも独立された装置として機能することもできるが，近年，印刷，ファックス，スキャンなどの機能を全て行うことができる複合機（ｍｕｌｔｉ−ｆｕｎｃｔｉｏｎａｌ  ｐｒｏｄｕｃｔ）のように他の装置の一部を構成する場合もある。
【０００３】
図１はこのような従来の複合機１０の構成を示す。図２はスキャニング装置２０の内部に装着された状態のセンサーユニット２４を示す断面図である。スキャニング装置２０は複合機１０の上部に設けられており，本体部２１とカバー２２とからなる。本体部２１は文書を載置するステージガラス２３と，上記文書を読み取るセンサーユニット２４とを含む。図２に示すように，センサーユニット２４はステージガラス２３の下側面から一定間隔に離隔して加圧支持部３０に備えられたスプリング３１によって上方向に弾性的に加圧された状態で支持される。加圧支持部３０は軸３２によってガイドされて左右水平に往復移送される。センサーユニット２４及び加圧支持部３０を駆動するための駆動方式は，下記特許文献１に開示されたようなベルト−プーリメカニズムまたは下記特許文献２に開示されたような軸（ｓｈａｆｔ）−ブッシング（ｂｕｓｈｉｎｇ）メカニズムなどによることができる。
【０００４】
図２に示すように，ステージガラス２３上に置かれた文書１はレンズ部２５を通じて基板２６上に備えられたイメージセンサー２７によって読み取られることによりデータ化される。この時，文書１の紙面とレンズ部２５間の焦点距離ｆは，センサーユニット２４上に付着される間隔維持部材４０によって維持される。間隔維持部材４０には突起４１が形成されてステージガラス２３とセンサーユニット２４間の間隔を一定に維持させる。説明されていない図面符号２８は光源部を示す。
【特許文献１】米国特許第６０５５０７０号明細書
【特許文献２】米国特許第５３７９０９５号明細書
【発明の開示】
【発明が解決しようとする課題】
【０００５】
しかし，従来のスキャニング装置によれば，レンズ部２５の焦点距離ｆは，センサーユニット２４やスキャニング装置２０の製造上の公差のため製造されるスキャニング装置ごとに少しずつ異なるようになる。そのため，センサーユニット２４に付着する間隔維持部材４０が突起４１の高さ別に多様に備えられなければならないので，スキャニング装置２０の製造原価が上昇するという問題があった。
【０００６】
また，レンズ部２５の焦点距離ｆを測定し，これに相応する間隔維持部材４０を選択してセンサーユニット２４に取り付けることに多くの工程時間がかかるという問題があった。
【０００７】
また，レンズ部２５の焦点距離ｆが正確に合う高さの突起４１を有する間隔維持部材４０を備えることは，現実的に不可能であるという問題があった。
【０００８】
そこで，本発明は，このような問題に鑑みてなされたもので，その目的は，スキャニング装置の製造状態によって変動するレンズ部の焦点距離に合うように調整することが可能な，新規かつ改良されたスキャニング装置及びこれを備えた画像形成装置を提供することにある。
【０００９】
また，本発明の目的は，レンズ部の焦点距離を合せることにかかる製造原価及び工程時間を縮小させることができるスキャニング装置及びこれを備えた画像形成装置を提供することにある。
【課題を解決するための手段】
【００１０】
上記課題を解決するために，本発明のある観点によれば，上面に文書を載置するステージガラスと；上記ステージガラスに向かって所定の角度に傾斜して形成されたスライドウェイを含み，上記ステージガラスの板面に向かって加圧支持されたセンサーユニットと；上記センサーユニットのスライドウェイ上に支持され，上端が上記ステージガラスと接触するスライド部材と；上記スライド部材を上記スライドウェイ上に固定する固定手段と；
を備えるスキャニング装置が提供される。
【００１１】
上記スライド部材は，上記スライドウェイと平行に形成されたガイド溝をさらに含んでもよく，上記センサーユニットは，上記ガイド溝に挿入されるように突出形成されたガイド棒をさらに含んでもよい。
【００１２】
また，上記固定手段は，上記スライド部材と上記ガイド棒間の溶接結合を含んでもよい。
【００１３】
また，上記スライド部材の上端には，上記ステージガラスと接触する突起が形成されてもよい。
【００１４】
上記課題を解決するために，本発明の別の観点によれば，スキャニング装置を備えた画像形成装置において：上記スキャニング装置は，上面に文書を載置するステージガラスと；上記ステージガラスに向かって所定の角度に傾斜して形成されたスライドウェイを含み，上記ステージガラスの板面に向かって加圧支持されたセンサーユニットと；上記センサーユニットのスライドウェイ上に支持され，上端が上記ステージガラスと接触するスライド部材と；上記スライド部材を上記スライドウェイ上に固定する固定手段と；を備える画像形成装置が提供される。
【発明の効果】
【００１５】
以上説明したように，本発明によれば，スライドウェイ及びスライド部材を利用してスキャニング装置に備えられたレンズ部の焦点距離を正確に合せることができる。
【００１６】
また，本発明によるスキャニング装置及びこれを備えた画像形成装置によると，スキャニング装置や画像形成装置の製造公差に起因するレンズ部の焦点距離の誤差を精密に調整することができる。また，レンズ部の焦点距離を合せることにかかる製造原価及び工程時間を縮小させることができる。
【発明を実施するための最良の形態】
【００１７】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００１８】
本発明の第１の実施形態による画像形成装置は，図３に示されているように，印刷，ファックス，スキャンなどの機能を遂行するフラット−ベッド（ｆｌａｔ−ｂｅｄ）タイプの複合機１００である。複合機１００は制御部（図示せず。）及びこれと連結された操作パネル１０１を備え印刷機能を遂行する印刷装置１１０と，印刷装置１１０の上部に備えられ印刷装置１１０とヒンジ結合されたスキャニング装置１２０とを含む。スキャニング装置１２０は本体部１２１とカバー１２２とからなる。本体部１２１は文書を載置するステージガラス１２３と，上記文書を読み取るセンサーユニット１３０とを含む。センサーユニット１３０はステージガラス１２３の下側面から一定間に隔離隔して加圧支持部１４０上に支持され，加圧支持部１４０が軸１４１上で往復移送されることによってこれと共にステージガラス１２３に沿って往復移送される。上記加圧支持部１４０の移送はベルト−プーリメカニズムまたは軸（ｓｈａｆｔ）−ブッシング（ｂｕｓｈｉｎｇ）メカニズムなどの駆動手段によって行われる。
【００１９】
センサーユニット１３０は，図４に示されているように，ケーシング１３１の上面に形成された２つの開口を通じて突出されるように備えられた光源部１３２及びレンズ部１３３を備えている。ケーシング１３１の両端部には上方向に傾斜したスライドウェイ１３４が形成されており，スライドウェイ１３４上にはこれと対応する下部傾斜面を有するスライド部材１５０が各々安着してスライディング可能なように結合されている。
【００２０】
また，スライド部材１５０にはスライドウェイ１３４と平行にガイド溝１５１が形成されており，これに対応する位置のケーシング１３１の両側部にはガイド溝１５１に挿入されるようにガイド棒１３５が突出形成されていて，スライド部材１５０の運動方向及び運動距離を拘束する。スライド部材１５０の上端両側部には突起１５２が形成されている。スライド部材１５０は後述のようにセンサーユニット１３０のレンズ部１３３とステージガラス１２３上面間の焦点距離が合うようにスライドウェイ１３４上の位置を定めた後，ガイド溝１５１で突出したガイド棒１３５と溶接によって結合することによってスライドウェイ１３４上で固定される。
【００２１】
図５は，センサーユニット１３０がスキャニング装置１２０の内部に設置された状態を示す断面図である。センサーユニット１３０は，ステージガラス１２３の下側面から一定の間隔に離隔して加圧支持部１４０のスプリング１４２によって上方向に弾性的に加圧された状態で支持される。加圧支持部１４０は，軸１４１によってガイドされて別途に設けられた駆動手段（図示せず。）によってステージガラス１２３に沿って左右水平方向に往復移送される。一方，センサーユニット１３０と加圧支持部１４０との間に設けられたスプリング１４２の代わりに軸１４１の下端部にスプリング（図示せず。）を設けて軸１４１によってセンサーユニット１３０を上方向に弾性加圧することもできる。
【００２２】
センサーユニット１３０は，スライド部材（図４の１５０）の上端に形成された突起（図４の１５２）によってステージガラス１２３と所定間隔離隔している（図６ａ参照）。加圧支持部１４０に備えられたスプリング１４２はセンサーユニット１３０を上方向に弾性加圧する。
【００２３】
したがって，センサーユニット１３０上に位置したスライド部材１５０の突起１５２はスプリング１４２によって常にステージガラス１２３に接触されているので，センサーユニット１３０とステージガラス１２３間の上記間隔は常に一定に維持される。
【００２４】
センサーユニット１３０の内側底面には，画像を読み取るためのイメージセンサー１３６とイメージセンサー１３６を搭載した基板１３７が備えられている。ステージガラス１２３上に置かれた文書１は，光源部１３２から照射される光を反射させ，上記反射された光はレンズ部１３３を通じて基板１３７上に備えられたイメージセンサー１３６によって読み取られることによりデータ化される。
【００２５】
一方，センサーユニット１３０，ステージガラス１２３などの製造公差によって，製造される製品ごとにレンズ部１３３とステージガラス１２３間の距離は少しずつ異なるようになることがある。
【００２６】
レンズ部１３３がステージガラス１２３の下部に焦点距離だけ離隔して位置するように調整するためにはスライド部材（図４の１５０）とスライドウェイ（図４の１３４）を利用する。図６ａ〜図６ｃはこのような焦点距離を合せるためにスライド部材１５０の位置が調整された状態を示す側面図である。図６ａは設計上の焦点距離と実際の焦点距離が一致する時のスライド部材１５０とスライドウェイ１３４の位置関係を示す。図６ｂは実際の焦点距離が設計上の焦点距離よりさらに大きい場合のスライド部材１５０の位置を示す。図面のようにスライド部材１５０をスライドウェイ１３４の上方向にスライディングさせ相対的にセンサーユニット１３０がガイド溝１５１に沿って加圧支持部１４０に向かって下降するようになる。スプリング１４２はセンサーユニット１３０が下降した距離だけさらに大きくなった力を上方向に加えるようになる。そして，実際の焦点距離が設計上の焦点距離よりさらに小さい場合には，図６ｃのようにスライド部材１５０をスライドウェイ１３４の下方向にスライディングさせセンサーユニット１３０がステージガラス１２３に向かって上昇するようにする。上記各場合において，スライド部材１５０の位置を調整した後にはガイド棒１３５を溶かしてスライド部材１５０に溶接によって結合させて固定する。したがって，溶接によって結合するガイド棒１３５とスライド部材１５０はスライド部材１５０をスライドウェイ１３４上に固定する固定手段として機能する。
【００２７】
以上のようなスライド部材１５０とスライドウェイ１３４の結合によってセンサーユニット１３０とステージガラス１２３間の距離を連続的に変化させることができるので，レンズ部１３３の焦点距離を正確に合わせることができる。また，センサーユニット２４に付着する間隔維持部材４０を突起４１の高さ別に多様に備える必要もないので，製造原価，工程時間を縮小することができる。
【００２８】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【００２９】
例えば，上述した実施形態においては，ガイド棒１３５が２つの場合について説明したが，スライド部材１５０をスライドウェイ１３４上に固定できれば，それ以上の数であってもよい。
【産業上の利用可能性】
【００３０】
本発明は，スキャニング装置及びこれを備えた画像形成装置に適用可能である。
【図面の簡単な説明】
【００３１】
【図１】従来の複合機を示す斜視図である。
【図２】図１の一構成要素であるセンサーユニットの設置状態を示す部分断面図である。
【図３】本発明の第１の実施形態による複合機を示す斜視図である。
【図４】図３の一構成要素であるセンサーユニットを示す斜視図である。
【図５】図４のセンサーユニットの設置状態を示す部分断面図である。
【図６ａ】図５の焦点距離ｆ´を維持するためのセンサーユニットの調整状態を示し，設計上の焦点距離と実際の焦点距離が一致する時の側面図である。
【図６ｂ】図５の焦点距離ｆ´を維持するためのセンサーユニットの調整状態を示し，実際の焦点距離が設計上の焦点距離よりさらに大きい場合の側面図である。
【図６ｃ】図５の焦点距離ｆ´を維持するためのセンサーユニットの調整状態を示し，実際の焦点距離が設計上の焦点距離よりさらに小さい場合の側面図である。
【符号の説明】
【００３２】
１００      複合機
１０１      操作パネル
１１０      印刷装置
１２０      スキャニング装置
１２１      本体部
１２２      カバー
１２３      ステージガラス
１３０      センサーユニット
１３１      ケーシング
１３２      光源部
１３３      レンズ部
１３４      スライドウェイ
１３５      ガイド棒
１３６      イメージセンサー
１３７      基板
１４０      加圧支持部
１４１      軸
１４２      スプリング
１５０      スライド部材
１５１      ガイド溝
１５２      突起
【図１】
2006259740.tif 000003
【図２】
2006259740.tif 000004
【図３】
2006259740.tif 000005
【図４】
2006259740.tif 000006
【図５】
2006259740.tif 000007
【図６ａ】
2006259740.tif 000008
【図６ｂ】
2006259740.tif 000009
【図６ｃ】
2006259740.tif 000010